(57)【特許請求の範囲】
【請求項１】
媒体を搬送する搬送手段と、該搬送手段による搬送方向に向かって左右方向に移動して媒体に所定の処理を施し、媒体搬送時には退避位置へと移動して停止する処理手段と、該処理手段を移動させる駆動手段とを備えた媒体処理装置において、
前記媒体の上面を案内するための前記左右方向に一対のガイド片が前記処理装置を挟んで対向配置されて構成された搬送ガイドを有し、該搬送ガイドを構成するガイド片は、前記処理手段の移動による力を受けて該処理手段と同一方向に移動するように構成され、前記ガイド片は、媒体搬送時に前記処理手段が退避位置に移動して停止した際に、前記処理手段と共に移動して停止し、その停止位置において前記一対のガイド片のうち、前記処理手段の移動方向とは反対側のガイド片が媒体上に位置するように構成されていることを特徴とする媒体処理装置。
【請求項２】
媒体を搬送する搬送手段と、該搬送手段による搬送方向に向かって左右方向に移動して媒体に所定の処理を施し、媒体搬送時には退避位置へと移動して停止する処理手段と、該処理手段を移動させる駆動手段とを備えた媒体処理装置において、
前記媒体の上面を案内するための前記左右方向に一対のガイド片が前記処理装置を挟んで対向配置されて構成された搬送ガイドを複数有し、該搬送ガイドを構成するガイド片は、前記処理手段の移動による力を受けて該処理手段と同一方向に移動するように構成され、前記ガイド片は、媒体搬送時に前記処理手段が退避位置に移動して停止した際に、前記処理手段と共に移動して停止し、その停止位置において前記複数のガイド片のうち、前記処理手段の移動方向とは反対側のガイド片の少なくとも２つが媒体上に位置するように構成されていることを特徴とする媒体処理装置。
【請求項３】
媒体を搬送する搬送手段と、該搬送手段による搬送方向に向かって左右方向に移動して媒体に所定の処理を施し、媒体搬送時には退避位置へと移動して停止する処理手段と、該処理手段を移動させる駆動手段とを備えた媒体処理装置において、
前記媒体上面を案内するための前記左右方向に一対の前記搬送方向に延びるガイド片が互いの位置関係を保つように連結して構成された搬送ガイドを複数有し、前記複数の搬送ガイドは、前記一対のガイド片によって前記処理装置を挟むように順次外側に配置され、前記処理手段の移動による力を受けて該処理手段と同一方向に移動するように構成され、媒体搬送時に前記処理手段が退避位置に移動して停止した際に、前記処理手段と共に移動して停止し、その停止位置において前記複数の搬送ガイドの前記処理手段の移動方向とは反対側のガイド片のうち、少なくとも２つが媒体上に位置するように構成したことを特徴とする媒体処理装置。
【請求項４】
媒体搬送時に前記処理手段が退避位置に移動して停止した際に、前記複数の搬送ガイドの前記処理手段の移動方向とは反対側のガイド片のうち、少なくとも２つが媒体の左右端部上に位置するように構成したことを特徴とする請求項２又は請求項３記載の媒体処理装置。
【請求項５】
前記処理手段の移動時に、該処理手段及び前記複数の搬送ガイドのそれぞれの位置関係を維持したまま前記複数の搬送ガイドを連動させる維持手段を設けたことを特徴とする請求項２乃至請求項４の何れかに記載の媒体処理装置。
【請求項６】
前記処理手段が媒体上へ移動する際に、該処理手段と、前記複数の搬送ガイドの前記処理手段の移動方向と反対側のガイド片とを前記維持手段によって互いに近接又は当接した状態に維持したまま、前記媒体の端辺上を通過するようにしたことを特徴とする請求項５記載の媒体処理装置。
【請求項７】
前記処理手段が退避位置へ移動して停止するまでの間に、前記複数の搬送ガイドが移動の規制を受けて停止するようにし、前記維持手段は、その移動の規制を受けた搬送ガイドとの位置関係の維持は解除するよう構成され、前記制御手段によって前記処理手段の退避位置を変更することで移動の規制により停止した搬送ガイドのガイド片と、移動の規制を受けずに前記処理手段との連動を続けた搬送ガイドのガイド片との間隔を可変とし、媒体搬送時に媒体上に位置するガイド片の間隔を任意に変更可能としたとしたことを特徴とする請求項５又は請求項６記載の媒体処理装置。
【請求項８】
前記複数の搬送ガイド及び前記処理手段を内装する上側筐体を、前記搬送手段を内装する下側筐体に対し上下方向に回動自在に連結し、前記上側筐体を上方に回動することにより、前記下部筐体において前記搬送手段によって搬送される媒体の上面を開放可能としたことを特徴とする請求項２乃至請求項７の何れかに記載の媒体処理装置。
【請求項９】
前記維持手段は、前記処理手段が取り付けられ、前記駆動手段により前記左右方向に移動して前記処理手段を移動させるキャリッジと前記複数の搬送ガイドのうち前記処理手段に最も近い搬送ガイドとの間、また、互いに隣接する搬送ガイド同士の間の前記搬送方向の相対移動を制限するように配置された摩擦部材であることを特徴とする請求項５乃至請求項８の何れかに記載の媒体処理装置。
【請求項１０】
前記請求項１乃至請求項９の何れかに記載の媒体処理装置の処理手段を、前記媒体に印字処理を施す印字手段としたことを特徴とする印字装置。
【発明の詳細な説明】
【０００１】
【発明の属する技術分野】
この発明は、媒体処理装置に係り、更に詳しくは媒体の良好な搬送に好適な装置構造に関する。
【０００２】
【従来の技術】
従来の金融機関等で用いられる媒体処理装置、具体的には例えば通帳記帳装置の概略図を図１２に示す。図において右側が装置前方である。
この図１２に示される従来の媒体処理装置においては、挿入口２０１から挿入された媒体Ｓをローラやベルトなどを駆動させることにより搬送路２０３内に取り込み、印字部２０５まで搬送後、印字部２０５にて印字ヘッド２０７を媒体Ｓの左右方向（紙面垂直方向）に移動させて媒体Ｓに印字を行い、印字終了後、再び挿入口２０１へ向かって媒体Ｓを搬送し返却するようになっている。
【０００３】
一般的に、媒体処理装置は搬送路２０３の上下に搬送ガイド２０９，２１１を持ち、媒体搬送を円滑に行えるような構造になっている。しかしながら、このような装置の上側搬送ガイド２０９においては、印字部２０５における印字ヘッド２０７の移動範囲に相当する部分に開口が形成されているため、媒体搬送時にはこの開口をふさぐ必要があり、そのために開口用搬送ガイドを別途設けられている。図１３は図１２の媒体搬送装置における開口用搬送ガイドの説明図である。なお、図１３において紙面垂直方向が搬送方向である。図１３に示されるように、印字ヘッド２０７の先端に平面板状の搬送ガイド２１３を設け、当該搬送ガイド２０３により媒体Ｓの一端部をガイドし、また印字部下部２０５ｂに矢印Ｓ方向に回避、矢印Ｒ方向に復元可能な搬送ガイド２１５を設け、媒体Ｓの他端部をガイドするような構造になっている。
【０００４】
【発明が解決しようとする課題】
上記従来の媒体処理装置の印字部２０５にあっては、印字時に搬送ガイド２１５を待避させるためのスペースが必要となる。
ところで、図１３に示した搬送ガイド２１５は、印字時には印字ヘッド２０７が図示右方向に移動することにより搬送ガイド２１３によって矢印Ｓ方向に回動させられるものであるが、媒体Ｓの幅全域に印字を行うような場合には、媒体Ｓ両端まで印字ヘッド２０７が移動を行うため、媒体Ｓのガイド機構を設けるとなると、実装上の制約から搬送路の両端部に設ける必要がある。この場合、更に待避スペースが必要となる上、２つ設けることで更に構造が複雑化してしまう。
【０００５】
また、従来の媒体処理装置では、取り扱う媒体種に対しての許容幅が限られており、一般的に幅の広い媒体については許容できるように構成されているが、その許容量は小さい。また、幅の狭い媒体に対応しようとした場合、例えば図１３を例に説明すると、搬送ガイド２１５において媒体Ｓ上に位置する側の腕を長くする必要があり、装置サイズの大型化を招く結果となってしまう。
【０００６】
また、多くの媒体処理装置は、媒体除去、保守などを考慮して、印字ヘッド２０７を備えた印字部上部２０５ａ自体が開閉可能な構造になっているが、開放した印字部上部２０５ａを閉じる際に、印字ヘッド２０７の位置によっては印字部下部２０５ｂに設けられた搬送ガイド２１５との干渉が生じてしまう。このため前記問題を回避するために印字部上部２０５ａを閉じる際の搬送ガイド２１５の回避・復元機構、印字部上部２０５ａを開いた際の保持機構を図１３の機構に新たに加え設ける必要があり、そのために装置が複雑化し、装置の小型化、軽量化が難しく、コスト面でも高価になるという問題があった。
【０００７】
このようなことから、簡単な構成で多様なサイズの媒体を良好に搬送することが可能で、しかも、小型化、軽量化、コスト低減が可能な媒体処理装置及び印字装置の開発が望まれていた。
【０００８】
更に、媒体の除去が簡単な媒体処理装置及び印字装置の開発が望まれていた。
【０００９】
【課題を解決するための手段】
本発明に係る媒体処理装置は、媒体を搬送する搬送手段と、搬送手段による搬送方向に向かって左右方向に移動して媒体に所定の処理を施し、媒体搬送時には退避位置へと移動して停止する処理手段と、処理手段を移動させる駆動手段とを備えた媒体処理装置において、媒体の上面を案内するための左右方向に一対のガイド片が処理装置を挟んで対向配置されて構成された搬送ガイドを有し、搬送ガイドを構成するガイド片は、処理手段の移動による力を受けて処理手段と同一方向に移動するように構成され、ガイド片は、媒体搬送時に処理手段が退避位置に移動して停止した際に、処理手段と共に移動して停止し、その停止位置において一対のガイド片のうち、処理手段の移動方向とは反対側のガイド片が媒体上に位置するように構成したものである。
【００１０】
また、本発明に係る媒体処理装置は複数の搬送ガイド及び処理手段を内装する上側筐体を、搬送手段を内装する下側筐体に対し上下方向に回動自在に連結し、上側筐体を上方に回動することにより、下部筐体において搬送手段によって搬送される媒体の上面を開放可能としたものである。
【００１１】
本発明においては、媒体の上面を案内するための左右一対の搬送ガイドを設け、その複数の搬送ガイドを処理手段の移動による力を受けて同一方向に移動するように構成し、媒体搬送時に処理手段が退避位置に移動して停止した際に、処理手段と共に移動して停止し、その停止位置において、搬送ガイドを構成するガイド片が媒体上に位置するようにして媒体の上面を案内する。
【００１２】
【発明の実施の形態】
実施の形態１．
図１は本発明の実施の形態１に係る媒体処理装置の要部概略斜視図である。なお、実施の形態では、媒体処理装置として印字装置を例として説明するものとし、図１には印字装置における印字部の概略斜視図が示されている。
図１において、１はモータで、モータ１の回転軸１ａには、プーリー３が回転一体に取り付けられており、モータ１の回転がプーリ３と、図示せぬ回転支点に支持されたプーリ５と間に架けられたベルト７に伝達されるようになっている。このベルト７には、その連結構造について詳しく図示されていないが、印字ヘッド９及び搬送方向に着脱可能なインクリボンカセット１０が取り付けられたキャリッジ１１が連結されている。このキャリッジ１１は、その両端がフレーム１３の左右の端面１３ａ、１３ｂ間に支持された支持シャフト１５と補助シャフト１７とに摺動可能に支持されており、ベルト７の回転により、各シャフト１５，１７の軸方向に移動するようになっている。すなわち、モータ１が回転すると、キャリッジ１１が軸方向に移動し、印字ヘッド９を媒体の左右方向（搬送方向に向かって左右方向：図１の矢印ａ方向）に移動させるようになっており、矢印ｂ方向に搬送されてきた媒体に印字を行うようになっている。
【００１３】
モータ１には図示せぬ制御手段が接続され、制御信号に応じて正逆回転するようになっており、これにより、印字ヘッド９は往復運動を行うようになっている。また、印字ヘッド９にも同様に図示せぬ制御手段が接続されており、制御手段からの制御信号と図示しない電源部からの電力供給を受けて印字を行うようになっている。制御手段は、予め入力された媒体の幅、印字ヘッド９の現在位置等から印字ヘッド９の移動量を求め、その結果に基づきモータに制御信号を送出して印字ヘッド９の位置を制御するようになっている。
【００１４】
また、キャリッジ１１の上部には位置検出用のスリット１９が設けられ、このスリット１９を挟んで左右方向に位置センサＬ２１，位置センサＲ２３が対向して設けられている。この位置センサＬ２１，位置センサＲ２３は、それぞれ底面側に凹部２１ａ、２３ａが形成されており、この凹部２１ａ、２３ａ内にスリッド１９が嵌挿されることにより印字ヘッド９が左端あるいは右端の何れに位置したが検出されるようになっている。ここで検出された印字ヘッド９の位置情報は、図示せぬ制御手段に出力され、制御手段はその位置情報を確認するようになっている。
【００１５】
また、２５は媒体の上面を案内するための搬送ガイドに相当する内側ガイドである。２５ａ、２５ｂは、内側ガイド２５を構成する左右一対の板状のガイド片で、媒体の搬送方向に延出され、下面が媒体の媒体走行面となる水平部２７ａと、水平部の端部から垂直方向に延びる垂直部２７ｂとから構成されている。この一対のガイド片２５ａ、２５ｂは、キャリッジ１１を挟んで対向配置され、垂直部２７ｂに形成された上下２つの貫通孔のそれぞれに挿通された支持シャフト１５及び補助シャフト１７によって摺動可能に軸支されている。また、一対のガイド片２５ａ、２５ｂの搬送方向の両端部は連結部３１ａ、３１ｂによって連結されており、これにより、一対のガイド片２５ａ、２５ｂは一定の間隔を維持したまま各シャフト１５，１７の軸方向に移動するようになっている。
【００１６】
さらに、３３は内側ガイド２５と同様に媒体の上面を案内するための搬送ガイドに相当する外側ガイドで、ほぼ内側ガイド２５と同一の構成を有するが、内側ガイド２５の連結部３１ｂが省略されているところが異なっている。即ち、水平部３５ａ及び垂直部３５ｂからなる一対のガイド片３３ａ、３３ｂと、ガイド片３３ａ、３３ｂを連結する連結部３７ａとから構成されており、そして、内側ガイド２５と同様に支持シャフト１５及び補助シャフト１７によって摺動可能に軸支されている。この外側ガイド３３は、内側ガイド２５を外側から囲むようにして複数配置され（図１には１つの場合を図示）、全体として複数のガイド片をキャリッジ１１の両側にくし状に配置した構成となっている。
【００１７】
内側ガイド２５及び外側ガイド３３の下面は媒体走行面となっており、印字及び媒体の搬送が円滑に行えるように媒体が接する下面側の各部には面取りが成されている。
【００１８】
また、内側ガイド２５及び外側ガイド３３の搬送方向の前後には媒体の上面を案内するアッパガイドＦ３９、アッパガイドＲ４０が設けられている。このアッパガイドＦ３９、アッパガイドＲ４０には、それぞれ媒体を送るための複数の上側ローラ４１ａ（図１においては２つ）が設けられたローラ軸４１が媒体の左右方向に沿って嵌挿され、このローラ軸４１と上側ローラ４１ａの組合体が搬送方向に沿って複数設けられている（図１においては１つのみを図示）。
【００１９】
以上のように構成された印字部上部の下方には、印字部下部が配置されている。印字部下部には、アッパガイド３９に対向して搬送方向の前後に媒体の下面を案内するロアガイドＦ４３、ロアガイドＲ４４が設けられており、そのそれれぞれには、アッパガイドＦ３９、アッパガイドＲ４０に設けられたローラ軸４１と上側ローラ４１ａの組合体と対向してローラ軸４５と下側ローラ４５ａとの組合体が搬送方向に沿って設けられ、上側ローラ４１ａ及び下側ローラ４５ａによる搬送手段によって媒体を搬送するようになっている。
【００２０】
印字ヘッド９の直下には、印字方向に延びるプラテン４７が設けられており、このプラテンは図示せぬアクチュエータにより上下動作可能な構造となっている。
【００２１】
以上のようにして、印字部上部と印字部下部がそれぞれ構成され、印字部上部と下面側と印字部下部の上面側との間に媒体搬送路が形成されている。
【００２２】
次に、本実施の形態１の動作説明を行う。本実施の形態１は、印字動作前後における媒体の良好な搬送に関するもので、図を参照しながら説明する。
図２及び図３は媒体搬送時における媒体のガイド状態を示す図、図４は本実施の形態１の動作説明図で、図１の概略平面図となっている。なお、図２〜図４においては、媒体Ｓが矢印Ｂ方向に搬送され、印字部の搬送路内にある状態が示されている。なお、以下の説明中の▲１▼〜▲６▼は図４の▲１▼〜▲６▼に対応している。
【００２３】
▲１▼まず、ここでは印字ヘッド９がフレーム１３の端面１３ｂ側の退避位置に位置決めされた状態にあり、キャリッジ１１と内側ガイド２５のガイド片２５ｂ、外側ガイド３３のガイド片３３ａが互いに当接した状態となっている。そして、印字ヘッド９がモータ１の回転によるベルト７の移動に伴って矢印Ａ方向に移動すると、▲２▼キャリッジ１１が、まずは内側ガイド２５のガイド片２５ａに当接し、▲３▼キャリッジ１１と内側ガイド２５とが一体となって矢印Ａ方向に移動し、印字ヘッド９が媒体Ｓの端辺Ｓｂ上を通過する。
【００２４】
▲４▼そして、更に移動を続けると、今度は外側ガイド３３のガイド片３３ａに当接し、▲５▼これらキャリッジ１１、内側ガイド２５、外側ガイド３３が一体となって更に移動し、印字ヘッド９が媒体Ｓの端辺Ｓａ上を通過する。▲６▼そして、フレーム１３ａ側の退避位置に到達すると、キャリッジ１１は停止する。図２はこの▲６▼の状態を示しており、キャリッジ１１の退避位置において、内側ガイド２５のガイド片２５ｂは媒体Ｓの幅をＰとするとき媒体Ｓの端辺Ｓａから媒体中央に向かって距離Ｌ１の位置にあり、また、外側ガイド３３のガイド片３３ｂは媒体Ｓの端辺Ｓｂから媒体中央に向かって距離Ｒ１の位置にあり、媒体幅Ｐに対し、媒体Ｓを一定間隔Ｗでガイドするようになっている。
【００２５】
なお、このように媒体Ｓを間隔Ｗでガイドする位置関係は▲１▼に示したフレーム１３の端面１３ａ側の退避位置においては反対側のガイド片で実現される。即ち、図３に示すように、内側ガイド２５のガイド片２５ａは、媒体Ｓの端辺Ｓｂから媒体中央に向かって距離Ｒ２に位置し、外側ガイド３３のガイド片３３ａは媒体Ｓの端辺Ｓａから媒体中央に向かって距離Ｌ２に位置し、内側ガイド２５のガイド片２５ａと外側ガイド３３のガイド片３３ａによって媒体Ｓを一定間隔Ｗでガイドするようになっている。なお、このＬ１とＬ２、Ｒ１とＲ２は同じであっても良いし、異なっていても良い。
【００２６】
内側ガイド２５、外側ガイド３３がこのような位置関係にある時に媒体Ｓが矢印Ｂ方向に搬送されると、内側ガイド２５のガイド片２５ｂ、外側ガイド３３のガイド片３３ｂが媒体Ｓの両端部に位置し、媒体Ｓの両端辺の浮き上がりを押さえ、円滑にアッパガイドＲ４０側に媒体Ｓを搬送することができる。また、矢印Ｃ方向に搬送した場合でも同様である。
【００２７】
以上には印字ヘッド９が矢印Ａ方向に移動する場合を説明したが、矢印Ｄ方向へ移動する場合もほぼ同様の動作となり、フレーム１３の端面１３ａ、１３ｂの何れの退避位置においても、内側ガイド２５のガイド片２５ａ、２５ｂと、外側ガイド３３のガイド片３３ａ、３３ｂとのそれぞれ同一側の一方によって媒体Ｓの両端部を押さえ、媒体Ｓを円滑に搬送できるようになっている。
【００２８】
以上のように、本実施の形態１によれば、印字ヘッド９に連動する内側ガイド２５、外側ガイド３３を設け、媒体搬送時には、印字ヘッド９をフレーム１３の端面１３ａ側又は１３ｂ側の何れかに退避させて各ガイドのガイド片で媒体Ｓの両端部を押さえるようにしたので、例えば、印字動作中の媒体搬送時（媒体送り時）においては、図４の▲２▼〜▲５▼において媒体Ｓに印字を行った後、媒体Ｓを送る際に印字ヘッド９が退避位置に移動することでガイド片により媒体Ｓの搬送が円滑に行えるようになる。また、印字前の白紙状態の媒体Ｓを印字部内に搬送する場合、印字終了後の媒体Ｓを返却する場合においても同様に、印字ヘッド９を退避位置に移動させることで各ガイド片によって媒体Ｓの両端辺を押さえ、円滑な搬送を行うことが可能となる。このように、印字部下部に複雑な機構を設けること無く媒体Ｓを印字部の開口部を円滑に通過させることができる。
【００２９】
更に、印字ヘッド９に連動するガイド片を複数設けることで、上記の効果に加えて同一搬送路において多様なサイズの媒体搬送にも対応できるようになり、媒体Ｓの仕様に対する装置の汎用性が向上し、顧客の要求に対し柔軟性の高い装置を提供できる。また、この装置は、印字部の開口部における複雑な媒体ガイド機構を不要とするため、部品の種類、点数を大幅に削減でき、コストダウン、ダウンサイジング化が期待できる。
【００３０】
また、印字ヘッド９と搬送ガイド（内側ガイド２５、外側ガイド３３）を互いに独立動作可能に一体化し、これを印字部上部に設けたので、従来のように装置本体から開放した印字部上部を閉じる際に印字ヘッド９の位置により搬送ガイドとの干渉が生じるのを回避でき、またこれを回避する機構も不要となり、機構の簡素化によるコスト低減、ダウンサイジング、信頼性の向上に寄与することができる。
【００３１】
実施の形態２．
図５は本発明の実施の形態２に係る媒体処理装置の要部平面図、図６は図５の一部断面で示した概略正面図、図７は実施の形態２の動作説明図（その１）、図８は実施の形態２の動作説明図（その２）である。なお、図１と同一部分には同一符号を付し、説明を省略する。
本実施の形態２は、図５に示すように図１に示した実施の形態１のキャリッジ１１と内側ガイド２５間、内側ガイド２５と外側ガイド３３間、外側ガイド３３とキャリッジ１１間にそれぞれ摩擦部材４９を設けたものである。なお、各摩擦部材４９はそれぞれキャリッジ１１側に固着されている。
【００３２】
このように摩擦部材４９を設けることにより、以下の２つの効果を得るものである。１つは、印字動作時に印字ヘッド９が媒体Ｓ上へと移動する際に、具体的には例えば図５において印字ヘッド９が矢印Ａ方向に移動する際に、キャリッジ１１の移動方向と反対側の媒体Ｓの端辺（ここでは端辺Ｓｂ）上をキャリッジ１１、内側ガイド２５のガイド片２５ｂ及び外側ガイド３３片のガイド片３３ｂが通過する際に、それらが互いに近接又は当接した状態で媒体Ｓの端辺Ｓｂ上を通過するようにし、媒体Ｓの端辺Ｓｂがキャリッジ１１と内側ガイド２５間、内側ガイド２５と外側ガイド３３間に挟まる等して傷つくのを防止することである。もう１つは、多種の媒体Ｓの幅に柔軟に対応できる装置を得ることである。
【００３３】
以下、まず前者の場合の動作説明を図７を参照しながら行う。
▲１▼まず、印字ヘッド９と内側ガイド２５のガイド片２５ｂが近接し、内側ガイド２５のガイド片２５ｂと外側ガイド３３のガイド片３３ｂが当接してフレーム１３の端面２３ｂ側に接触して停止した状態から始まり、▲２▼そして、モータ駆動により印字ヘッド９が矢印Ａ方向に移動すると、摩擦部材４９により内側ガイド２５及び外側ガイド３３が印字ヘッド９の動きに連動して互いの位置関係を保ちながら矢印Ａ方向に移動する。そして、印字ヘッド９が媒体Ｓの端辺Ｓｂ上を通過したところで印字動作が開始され、▲３▼印字動作中もこの位置関係を維持したまま印字部内の媒体Ｓの端辺Ｓｂ上を通過する。これにより、印字ヘッド９、内側ガイド２５のガイド片２５ｂ及び外側ガイド３３のガイド片３３ｂのそれぞれの間に媒体Ｓの端辺Ｓｂが入り込む等して傷つくのを防止することができる。
【００３４】
そしてさらに矢印Ａ方向に移動すると、フレーム１３の端面２３ａに外側ガイド３３のガイド片３３ａが突き当たり、外側ガイド３３はその位置で停止し、ここでキャリッジ１１と外側ガイド３３との追従関係が解かれる。▲４▼これにより、印字ヘッド９は内側ガイド２５のみと一体となって移動し、▲５▼媒体Ｓの端辺Ｓａ上を通過したところで印字を完了し、その後、▲６▼更に移動すると内側ガイド２５のガイド片２５ａは既に停止している外側ガイド３３のガイド片３３ａに接触したところで停止し、印字ヘッド９は、内側ガイド２５のガイド辺２５ａから一定の距離をとった位置で停止する。なお、以上には印字ヘッド９が矢印Ａ方向に移動する場合を説明したが、矢印Ｄ方向に移動する場合においてもほぼ同様な動作を行うため説明は省略する。
【００３５】
このように、実施の形態１のキャリッジ１１と内側ガイド２５間、内側ガイド２５と外側ガイド３３間にそれぞれ摩擦部材４９を設けたことによって、印字動作において、キャリッジ１１と、内側ガイド２５のガイド片２５ａと、外側ガイド３３のガイド片３３ｂとのそれぞれの間、又はキャリッジ１１と、内側ガイド２５のガイド片２５ａと、外側ガイド３３のガイド片１１ｂとのそれぞれの間に、媒体Ｓの端辺Ｓａ又は端辺Ｓｂが入り込み、傷つくのを防ぐことができる。これにより、印字動作の安定化と装置の品質向上が期待できる。
【００３６】
次に、後者の場合の動作説明を図８を参照しながら行う。
▲１▼この場合においては、印字ヘッド９がフレーム１３の端面１３ｂ側の退避位置にあるとき、内側ガイド２５のガイド片２５ａと外側ガイド３３のガイド片３３ａとが離間する又は当接（図８には離間した場合を図示）しており、この状態から矢印Ａ方向に印字ヘッド９が移動開始する。なお、この▲１▼の状態においては、印字ヘッド９と内側ガイド２５との左右方向（図示上下方向）の間隔が距離ａ、距離ｂとなっており、また、内側ガイド２５と外側ガイド３３との左右方向（図示上下方向）の間隔は、Ｗ１、Ｗ２となっている。なお、前記距離ａ、距離ｂは、内側ガイド２５のガイド片２５ａと外側ガイド３３のガイド片３３ａが当接した後の、印字ヘッド９の移動距離により変更可能である。
【００３７】
▲２▼，▲３▼この位置関係を維持したままキャリッジ１１、内側ガイド２５及び外側ガイド３３は移動し、▲４▼外側ガイド３３は、そのガイド片３３ａがフレーム１３の端面１３ａに当接したところで停止し、ここでキャリッジ１１と外側ガイド３３との追従関係が解かれる。▲５▼これにより印字ヘッド９は内側ガイド２５のみと一体となって移動して、内側ガイド２５のガイド片２５ａと外側ガイド３３のガイド片３３ａとの間隔がＷ１からＷ１’へ、ガイド片２５ｂとガイド片３３ｂとの間隔がＷ２からＷ２’へと変化し、▲６▼更に移動して退避位置にて停止する。この退避位置は、ここでは内側ガイド２５のガイド片２５ａが外側ガイド３３のガイド片３３ａから距離Ｗ１”に位置する地点の場合を例示しているが、この退避位置は、図示しない制御手段により任意に変更可能であり、この退避位置を変えて距離Ｗ１”を可変とすることにより、媒体Ｓ上に位置する内側ガイド２５のガイド片２５ｂと外側ガイド３３のガイド片３３ｂとの間隔Ｗ２”を変更することができ、これにより、多種の媒体幅に対応可能とすることができる。なお、以上には印字ヘッド９が矢印Ａ方向に移動する場合を説明したが、矢印Ｄ方向に移動する場合においてもほぼ同様な動作を行うため説明は省略する。
【００３８】
このように、実施の形態１のキャリッジ１１と内側ガイド２５間、内側ガイド２５と外側ガイド３３間にそれぞれ摩擦部材４９を設けると共に、図示しない制御手段により印字ヘッド９の退避位置を可変とし、搬送ガイド（内側ガイド２５、外側ガイド３３）の停止位置を任意に変更可能としたことにより、搬送ガイド（内側ガイド２５、外側ガイド３３）を増やすことなく最低限の数（即ち２つ）で多種媒体Ｓに対応することが可能となる。
【００３９】
また、摩擦部材４９を設けたことによって内側ガイド２５及び外側ガイド３３のそれぞれの位置を安定した状態で維持することができる。これにより、例えば媒体Ｓを印字部に挿入する前に媒体Ｓを左右方向に移動させる動作を行う装置、具体的には例えば一般的に通帳などを取り扱う装置等があるが、このような動作を行う装置に非常に効果的である。
【００４０】
また、図７及び図８の▲１▼及び▲６▼に示す退避位置においては、上述の実施の形態１と同様に媒体Ｓの両端部にガイド片が位置する状態となっており、実施の形態１とほぼ同じ作用および効果が得られている。
【００４１】
また、本実施の形態２と同様な効果が得られる方法として、以下のように構成しても良い。
図９はその一例を示す図で、特に媒体搬送時の媒体のガイド状態が示されている。図１と同一部分には同一符号を付し、説明を省略する。
図において５１ａ、５１ｂ、５１ｃ、５１ｄは下面が媒体走行面となるガイド片で、支持シャフト１５及び補助シャフト１７に媒体Ｓの左右方向に摺動可能に支持されている。フレーム１３の端面１３ａとガイド片５１ａ間、ガイド片５１ａと５１ｂ間、５１ｃと５１ｄ間、５１ｄとフレーム１３の端面１３ｂ間には、それぞれ補助シャフト１７に外挿された圧縮スプリング５３ａ、５３ｂ、５３ｃ、５３ｄが設けられている。これら圧縮スプリング５３ａ、５３ｂ、５３ｃ、５３ｄは、その自然長においてガイド片５１ａ、５１ｂの組み合わせ、又はガイド片５１ｃ、５１ｄの組み合わせで、媒体Ｓの端辺Ｓａ、Ｓｂを押さえることが可能なものが使用される。
【００４２】
図９は、媒体搬送時に印字ヘッド９が矢印Ｄ方向に退避した場合を示したものであり、キャリッジ１１が圧縮スプリング５３ａ、５３ｂの付勢力に抗してガイド片５１ａ、５１ｂをフレーム１３の端面１３ａ側に押しつけた状態から始まり、印字ヘッド９が矢印Ｄ方向へと移動すると、圧縮スプリング５３ａ、５３ｂの付勢力によりキャリッジ１１とガイド片５１ｂが当接し、ガイド片５１ｂとガイド片５１ａが近接した状態で媒体Ｓの端辺Ｓａ上を通過する。これにより、媒体Ｓの端辺Ｓａの傷つきを防ぐことができる。
【００４３】
その後、圧縮スプリング５３ａが自然長になったところでガイド片５１ａが停止する。このときのガイド片５１ａは、図９に示すように媒体Ｓの端辺Ｓａを押さえる位置にある。その後、更に印字ヘッド９が矢印Ｄ方向へと移動すると、今度はガイド片５１ｂが圧縮スプリング５３ｂが自然長になることにより停止する。このときのガイド片５１ｂは、媒体Ｓの端辺Ｓｂを押さえる位置にある。このように、媒体搬送時に印字ヘッド９が退避位置に移動することでガイド片５１ａ、５１ｂが媒体Ｓの両端部に位置し、良好な搬送を得ることができる。なお、印字ヘッド９が矢印Ａ方向に移動する場合においてもほぼ同様な動作を行うため説明は省略する。
【００４４】
実施の形態３．
図１０は本発明の実施の形態３に係る媒体処理装置を示す概略図である。なお、図において図１と同一部分には同一符号を付し説明を省略する。
本実施の形態３は、図１に示した印字部内の印字部上部を構成する各構成部が配置される上側筐体５５を、印字部下部を内装する装置本体に相当する下側筐体５６に設けた媒体搬送方向と直交する軸５７により回動可能に軸支するようにして、上側筐体５５を軸５７を支点に回動させて上方に開くように構成したものである。また、図１０において５９は複数の板状ガイドで、図１の内側ガイド２５の垂直部２７ｂ及び外側ガイド３３の垂直部３５ｂの高さを低くしてそれぞれ補助シャフト１７にのみ軸支するようにし、軸方向に摺動可能且つ上下方向に回動可能に構成したものである。
【００４５】
本実施の形態３においては、印字部内の搬送路内に残留した媒体Ｓを除去する場合、軸５７を中心に上側筐体５５を矢印Ｅ方向に回転させることにより印字部上部を開放する。これにより、媒体Ｓの上面を覆う複数の板状ガイド５９、及びアッパガイドＦ３９、アッパガイドＲ４０等（図１参照）が媒体Ｓ上から取り去られ、容易に媒体Ｓを取り除くことができる。また、媒体除去後は、軸５７を支点に上側筐体５５を矢印Ｇ方向に回転させて印字部上部を閉じることで再び複数の板状ガイド５９とアッパガイドＦ３９、アッパガイドＲ４０（図１参照）により媒体搬送ガイドを形成できる。また、インクリボンカセット１０の交換の際には、印字部上部を解放後、板状ガイド５９を矢印Ｆ方向に回転させることによりインクリボンカセット１０に対する規制がなくなりオペレータが交換可能な状態となる。ここで、インクリボンカセット１０を矢印Ｈ方向に引き出すことにより簡単に取り外すことが可能となる。
【００４６】
以上のように、印字部上部を構成する各構成部を、上下方向に回動可能な筐体５７内に設けるようにしたので、上側筐体５５を上方に回転させるだけで、媒体Ｓ上面を覆う部材を媒体Ｓ上面から取り除くことができる。これにより媒体除去のために例えば手動による媒体搬送用ノブを回す等の操作を行うことなく、単に上側筐体５５を上方に回転させて開いた状態で上方から手を差し入れて媒体Ｓを引っ張ることで簡単に搬送路内の媒体除去が容易で、扱い易い装置を安価に提供することができる。
【００４７】
また、図１に示した実施の形態１の構造に加えて、印字部上部全体を上方に開放可能とし、印字部下部に媒体Ｓの上面を押さえる搬送ガイド（内側ガイド２５及び外側ガイド３３）を残さないようにしたので、従来のように印字部上部を閉じる際に媒体Ｓの上面を押さえる搬送ガイド（内側ガイド２５及び外側ガイド３３）と印字ヘッド９とが干渉するのを回避するための機構を印字部下部に設ける必要が無くなり、装置のコストダウン、ダウンサイジング化が期待できる。
【００４８】
更に、板状ガイド５９を補助シャフト１７に対して回動可能に装着したので、インクリボンカセット１０の着脱が容易に行え、安価な方法で操作性の向上に寄与することができる。
【００４９】
本実施の形態３においては、板状ガイド５９を印字部に設けていたが、インクリボンカセット１０自身に設けてもよい。図１１はその一例を示した図で、インクリボンカセット１０において媒体Ｓの左右方向に軸６１ａ、６１ｂを設け、その軸６１ａ、６１ｂによって板状ガイド５９を軸支するようにしている。この場合においても、印字部上部を開放可能とすることにより、上記と同様の効果を得ることができる。
【００５０】
また、上記実施の形態１〜実施の形態３においては、媒体処理装置における印字装置の適用例を説明したが、媒体Ｓの幅方向に往復動作し、媒体Ｓに所定の処理を行う装置全般に適用可能である。例えば、印字ヘッド９をＣＣＤ等の光学装置に置き換えれば光学読み取り装置にも適用でき、他にも磁気装置、契印装置（例えば公的機関で発行される証明書のような書類の不正利用防止のために利用される装置であって、媒体Ｓに「印」をスタンプしたり、パンチなどにより穴を空けたりする装置）、印刷装置等にも適用できる。
【００５１】
【発明の効果】
以上に説明したように、本発明によれば、媒体の上面を案内するための搬送ガイドを処理手段の移動による力を受けて移動するようにし、媒体搬送時に処理手段が退避位置に移動して停止した位置においてガイド片を媒体上に位置させて媒体の上面を案内するようにしたので、簡単な構成で媒体の良好な搬送を得ることができる。また、搬送ガイドを複数設けたので、多様な媒体幅に柔軟に対応することが可能となる。
【００５２】
また、複数の搬送ガイド及び処理手段を内装する上側筐体を、搬送手段を内装する下側筐体に対し上下方向に回動自在に連結し、上側筐体を上方に回動することにより、下部筐体において搬送手段によって搬送される媒体の上面を開放可能としたので、媒体の上面を覆う部材をまとめて媒体上面から取り除くことができるので、媒体の除去作業が簡単となる。
【図面の簡単な説明】
【図１】  本発明の実施の形態１に係る媒体処理装置の要部概略斜視図である。
【図２】媒体搬送時における媒体のガイド状態を示す図（その１）である。
【図３】媒体搬送時における媒体のガイド状態を示す図（その２）である。
【図４】本発明の実施の形態１の動作説明図である。
【図５】本発明の実施の形態２に係る媒体処理装置の要部平面図である。
【図６】図５の一部断面で示した概略正面図である。
【図７】本発明の実施の形態２の動作説明図（その１）である。
【図８】本発明の実施の形態２の動作説明図（その２）である。
【図９】実施の形態２の変形例を示す図である。
【図１０】本発明の実施の形態３に係る媒体処理装置を示す概略図である。
【図１１】インクリボンカセットに板状ガイドを設けた場合の一例を示す図である。
【図１２】従来の媒体処理装置の一例を示す図である。
【図１３】図１２の媒体搬送装置における開口用搬送ガイドの説明図である。
【符号の説明】
１  モータ（駆動手段）
９  印字ヘッド（処理手段）
２５  内側ガイド（搬送ガイド）
２５ａ、２５ｂ  ガイド片
３３  外側ガイド（搬送ガイド）
３３ａ、３３ｂ  ガイド片
４１ａ  上側ローラ（搬送手段）
４５ａ  下側ローラ（搬送手段）
４９  摩擦部材
【図１】
0004827312.tif 000002
【図２】
0004827312.tif 000003
【図３】
0004827312.tif 000004
【図４】
0004827312.tif 000005
【図５】
0004827312.tif 000006
【図６】
0004827312.tif 000007
【図７】
0004827312.tif 000008
【図８】
0004827312.tif 000009
【図９】
0004827312.tif 000010
【図１０】
0004827312.tif 000011
【図１１】
0004827312.tif 000012
【図１２】
0004827312.tif 000013
【図１３】
0004827312.tif 000014